(57)【要約】方法は、第一公衆陸上移動通信網と関連するデバイスにおいてセルを検出することと、セルによってサポートされる複数の公衆陸上移動通信網のそれぞれについて、セルがその公衆陸上移動通信網についてのスタンドアロンアクセスに利用可能であるかどうかに関するインディケーションを受信することと、インディケーションに応じて、また第一公衆陸上移動通信網に基づいて、セルのスタンドアロンアクセスを要求するかどうかを決定することと、を備える。【選択図】図６
2021510993.tif 000002
【特許請求の範囲】
【請求項１】
第一公衆陸上移動通信網と関連するデバイスにおいてセルを検出することと、
前記セルによってサポートされる複数の公衆陸上移動通信網のそれぞれについて、前記セルがその公衆陸上移動通信網についてのスタンドアロンアクセスに利用可能であるか否かに関するインディケーションを受信することと、
前記インディケーションに応じて、また前記第一公衆陸上移動通信網に基づいて、前記セルのスタンドアロンアクセスを要求するかどうかを決定することと、
を備える、方法。
【請求項２】
前記セルは、前記複数の公衆陸上移動通信網のいくつかについてのスタンドアロンアクセスに利用可能であり、前記セルは、前記複数の公衆陸上移動通信網のいくつかについてのスタンドアロンアクセスに利用可能ではない、請求項１に記載の方法。
【請求項３】
前記セルが前記第一公衆陸上移動通信網についてのスタンドアロンアクセスに利用可能であることを前記インディケーションが示す場合に、前記セルについてのスタンドアロンアクセスを要求することを備える、いずれかの先行請求項に記載の方法。
【請求項４】
前記セルについてのスタンドアロンアクセスを要求する少なくとも前に、前記デバイスは、ＩＤＬＥモードにある、請求項３に記載の方法。
【請求項５】
前記セルが前記第一公衆陸上移動通信網についてのスタンドアロンアクセスに利用可能ではないことを前記インディケーションが示す場合に、前記セルにデュアルコネクティビティモードでアクセスすることを備える、いずれかの先行請求項に記載の方法。
【請求項６】
前記セルが前記複数の公衆陸上移動通信網についてのスタンドアロンアクセスに利用可能であるか否かに関する前記インディケーションを含むシステム情報ブロックを、前記基地局から受信することを備える、いずれかの先行請求項に記載の方法。
【請求項７】
前記複数の公衆陸上移動通信網のうちの少なくとも１つについて、前記インディケーションは、トラッキングエリアコードの有無を含む、いずれかの先行請求項に記載の方法。
【請求項８】
前記複数の公衆陸上移動通信網のうちの少なくとも１つについて、前記インディケーションは、トラッキングエリアコード情報のフィールドにバイナリインディケータを含む、いずれかの先行請求項に記載の方法。
【請求項９】
前記複数の公衆陸上移動通信網のうちの少なくとも１つについて、前記インディケーションは、セルアクセス関連情報にバイナリインディケータを含む、いずれかの先行請求項に記載の方法。
【請求項１０】
セルによってサポートされる複数の公衆陸上移動通信網のそれぞれについて、前記セルがその公衆陸上移動通信網のスタンドアロンアクセスに利用可能であるか否かに関するインディケーションのデバイスへの送信を引き起こすこと、
を備える、方法。
【請求項１１】
前記セルが前記デバイスによってサポートされる第一公衆陸上移動通信網についてのスタンドアロンアクセスに利用可能であることを前記インディケーションが示す場合に、前記デバイスから前記セルに関するスタンドアロンアクセスについての要求を受信することを備える、請求項１０に記載の方法。
【請求項１２】
前記セルが前記デバイスによってサポートされる第一公衆陸上移動通信網についてのスタンドアロンアクセスに利用可能ではないことを前記インディケーションが示す場合に、前記デバイスから前記セルの非スタンドアロンアクセスについての要求を受信することを備える、請求項１０〜１１のいずれかに記載の方法。
【請求項１３】
前記セルが前記複数の公衆陸上移動通信網についてのスタンドアロンアクセスに利用可能であるか否かに関する前記インディケーションを含むシステム情報ブロックの前記デバイスへの前記送信を引き起こすことを備える、請求項１０〜１２のいずれかに記載の方法。
【請求項１４】
コンピュータプログラムがコンピューティングデバイス上で実行されるときに、方法を提供するような命令を含む前記コンピュータプログラムであって、前記コンピューティングデバイスは請求項１〜１３のいずれかに記載のステップを行うように配置される、前記コンピュータプログラム。
【請求項１５】
装置であって、
少なくとも１つのプロセッサ及びコンピュータプログラムコードを含む少なくとも１つのメモリ、
を備え、
前記少なくとも１つのメモリ及び前記コンピュータプログラムコードは、前記少なくとも１つのプロセッサで、前記装置に少なくとも、
第一公衆陸上移動通信網と関連するデバイスにおいてセルを検出させ、
前記セルによってサポートされる複数の公衆陸上移動通信網のそれぞれについて、前記セルがその公衆陸上移動通信網についてのスタンドアロンアクセスに利用可能であるか否かに関するインディケーションを受信させ、
前記インディケーションに応じて、また前記第一公衆陸上移動通信網に基づいて、前記セルのスタンドアロンアクセスを要求するかどうかを決定させる、
ように構成される、前記装置。
【請求項１６】
前記セルは、前記複数の公衆陸上移動通信網のいくつかについてのスタンドアロンアクセスに利用可能であり、前記セルは、前記複数の公衆陸上移動通信網のいくつかについてのスタンドアロンアクセスに利用可能ではない、請求項１５に記載の装置。
【請求項１７】
前記セルが前記第一公衆陸上移動通信網についてのスタンドアロンアクセスに利用可能であることを前記インディケーションが示す場合に、前記セルについてのスタンドアロンアクセスを要求するように構成される、請求項１５または請求項１６に記載の装置。
【請求項１８】
前記セルについてのスタンドアロンアクセスを要求する少なくとも前に、前記デバイスは、ＩＤＬＥモードにある、請求項１５〜１７のいずれかに記載の装置。
【請求項１９】
前記セルが前記第一公衆陸上移動通信網についてのスタンドアロンアクセスに利用可能ではないことを前記インディケーションが示す場合に、前記セルにデュアルコネクティビティモードでアクセスするように構成される、請求項１５〜１８のいずれかに記載の装置。
【請求項２０】
前記セルが前記複数の公衆陸上移動通信網についてのスタンドアロンアクセスに利用可能であるか否かに関する前記インディケーションを含むシステム情報ブロックを、前記基地局から受信するように構成される、請求項１５〜１９のいずれかに記載の装置。
【請求項２１】
前記複数の公衆陸上移動通信網のうちの少なくとも１つについて、前記インディケーションは、トラッキングエリアコードの有無を含む、請求項１５〜２０のいずれかに記載の装置。
【請求項２２】
前記複数の公衆陸上移動通信網のうちの少なくとも１つについて、前記インディケーションは、トラッキングエリアコード情報のフィールドにバイナリインディケータを含む、請求項１５〜２１のいずれかに記載の装置。
【請求項２３】
前記複数の公衆陸上移動通信網のうちの少なくとも１つについて、前記インディケーションは、セルアクセス関連情報にバイナリインディケータを含む、請求項１５〜２２のいずれかに記載の装置。
【請求項２４】
装置であって、
少なくとも１つのプロセッサ及びコンピュータプログラムコードを含む少なくとも１つのメモリ、
を備え、
前記少なくとも１つのメモリ及び前記コンピュータプログラムコードは、前記少なくとも１つのプロセッサで、前記装置に少なくとも、
セルによってサポートされる複数の公衆陸上移動通信網のそれぞれについて、前記セルがその公衆陸上移動通信網のスタンドアロンアクセスに利用可能であるか否かに関するインディケーションのデバイスへの送信を引き起こす、
ように構成される、前記装置。
【請求項２５】
前記セルが前記デバイスによってサポートされる第一公衆陸上移動通信網についてのスタンドアロンアクセスに利用可能であることを前記インディケーションが示す場合に、前記デバイスから前記セルに関するスタンドアロンアクセスについての要求を受信するように構成される、請求項２４に記載の装置。
【請求項２６】
前記セルが前記デバイスによってサポートされる第一公衆陸上移動通信網についてのスタンドアロンアクセスに利用可能ではないことを前記インディケーションが示す場合に、前記デバイスから前記セルの非スタンドアロンアクセスについての要求を受信するように構成される、請求項２４または請求項２５のいずれかに記載の装置。
【請求項２７】
前記セルが前記複数の公衆陸上移動通信網についてのスタンドアロンアクセスに利用可能であるか否かに関する前記インディケーションを含むシステム情報ブロックの前記デバイスへの前記送信を引き起こすように構成される、請求項２４〜２６のいずれかに記載の装置。
【請求項２８】
第一公衆陸上移動通信網と関連するデバイスにおいてセルを検出する手段と、
前記セルによってサポートされる複数の公衆陸上移動通信網のそれぞれについて、前記セルがその公衆陸上移動通信網についてのスタンドアロンアクセスに利用可能であるか否かに関するインディケーションを受信する手段と、
前記インディケーションに応じて、また前記第一公衆陸上移動通信網に基づいて、前記セルのスタンドアロンアクセスを要求するかどうかを決定する手段と、
を備える、装置。
【請求項２９】
セルによってサポートされる複数の公衆陸上移動通信網のそれぞれについて、前記セルがその公衆陸上移動通信網のスタンドアロンアクセスに利用可能であるか否かに関するインディケーションのデバイスへの送信を引き起こす手段、
を備える、装置。
【発明の詳細な説明】
【技術分野】
【０００１】
本出願は、方法、装置、システム及びコンピュータプログラムに関する。特に、限定ではないが、本出願は、セルがデバイスの公衆陸上移動通信網についてのスタンドアロンアクセスをサポートするか否かに応じて、セルにアクセスプロシージャを行うかどうかを決定することに関する。
【背景技術】
【０００２】
通信システムは、通信パスに関与するさまざまなエンティティ間にキャリアを提供することによって、ユーザ端末、基地局及び／または他のノードなどの２つ以上のエンティティ間の通信セッションを有効にする設備とみなされることができる。通信システムは、例えば、通信ネットワーク及び１つ以上の互換性のある通信デバイスによって提供されることができる。通信セッションは、例えば、音声、ビデオ、電子メール（ｅメール）、テキストメッセージ、マルチメディア及び／またはコンテンツデータなどのような通信を搬送するためにデータ通信を含むことができる。提供されるサービスの非限定的な例は、双方向または多方向通話、データ通信またはマルチメディアサービス、及びインターネットなどのデータネットワークシステムへのアクセスを含む。
【０００３】
無線通信システムでは、少なくとも２局間の通信セッションの少なくとも一部分は無線リンクを介して発生する。無線システムの例は、公衆陸上移動通信網（ＰＬＭＮ）、衛星ベースの通信システム、及び異なる無線ローカルネットワーク、例えば無線ローカルエリアネットワーク（ＷＬＡＮ）を含む。無線システムは、通常、セルに分割されることができるため、セルラーシステムと称されることが多い。
【０００４】
ユーザは、適切な通信デバイスまたは端末によって通信システムにアクセスすることができる。ユーザの通信デバイスは、ユーザ機器（ＵＥ）またはユーザデバイスと称される場合がある。通信を有効にする、例えば、通信ネットワークへのアクセス、または他のユーザとの直接通信を有効にするために、通信デバイスは適切な信号送受信装置を備える。通信デバイスは、例えばセルの基地局などの局によって提供されるキャリアにアクセスし、このキャリア上で通信を送信する、及び／または受信することができる。
【０００５】
通信システム及び関連したデバイスは、通常、システムに関連するさまざまなエンティティが何を行うことが許可されているか、またそれをどのように達成する必要があるかを規定する所与の規格または仕様に従って動作する。通常、接続に使用されなければならない通信プロトコル及び／またはパラメータも規定される。通信システムの一例は、ＵＴＲＡＮ（３Ｇ無線）である。通信システムの他の例は、ユニバーサル移動体通信システム（ＵＭＴＳ）無線アクセス技術のロングタームエボリューション（ＬＴＥ）と、いわゆる５Ｇまたは新しい無線（ＮＲ）ネットワークである。５Ｇまたは新しい無線ネットワークの規格化は現在議論中である。ＬＴＥは、第３世代パートナーシッププロジェクト（３ＧＰＰ）によって規格化されている。
【発明の概要】
【０００６】
第一態様に従い、第一公衆陸上移動通信網と関連するデバイスにおいてセルを検出することと、セルによってサポートされる複数の公衆陸上移動通信網のそれぞれについて、セルがその公衆陸上移動通信網についてのスタンドアロンアクセスに利用可能であるか否かに関するインディケーションを受信することと、インディケーションに応じて、また第一公衆陸上移動通信網に基づいて、セルのスタンドアロンアクセスを要求するかどうかを決定することと、を備える方法が提供される。
【０００７】
いくつかの実施形態では、セルは、複数の公衆陸上移動通信網のいくつかについてのスタンドアロンアクセスに利用可能であり、セルは、複数の公衆陸上移動通信網のいくつかについてのスタンドアロンアクセスに利用可能ではない。
【０００８】
いくつかの実施形態では、方法は、セルが第一公衆陸上移動通信網についてのスタンドアロンアクセスに利用可能であることをインディケーションが示す場合、セルについてのスタンドアロンアクセスを要求することを備える。
【０００９】
いくつかの実施形態では、セルについてのスタンドアロンアクセスを要求する少なくとも前に、デバイスは、ＩＤＬＥモードにある。
【００１０】
いくつかの実施形態では、方法は、セルが第一公衆陸上移動通信網についてのスタンドアロンアクセスに利用可能ではないことをインディケーションが示す場合、デュアルコネクティビティモードでセルにアクセスすることを備える。
【００１１】
実施形態では、方法は、セルが複数の公衆陸上移動通信網についてのスタンドアロンアクセスに利用可能であるか否かに関するインディケーションを含むシステム情報ブロックを、基地局から受信することを備える。
【００１２】
いくつかの実施形態では、複数の公衆陸上移動通信網のうちの少なくとも１つについて、インディケーションは、トラッキングエリアコードの有無を含む。
【００１３】
いくつかの実施形態では、複数の公衆陸上移動通信網のうちの少なくとも１つについて、インディケーションは、トラッキングエリアコード情報のフィールドにバイナリインディケータを含む。
【００１４】
いくつかの実施形態では、複数の公衆陸上移動通信網のうちの少なくとも１つについて、インディケーションは、セルアクセス関連情報にバイナリインディケータを含む。
【００１５】
第二態様に従い、セルによってサポートされる複数の公衆陸上移動通信網のそれぞれについて、セルがその公衆陸上移動通信網のスタンドアロンアクセスに利用可能であるか否かに関するインディケーションのデバイスへの送信を引き起こすことを備える方法が提供される。
【００１６】
いくつかの実施形態では、セルは、複数の公衆陸上移動通信網のいくつかについてのスタンドアロンアクセスに利用可能であり、セルは、複数の公衆陸上移動通信網のいくつかについてのスタンドアロンアクセスに利用可能ではない。
【００１７】
いくつかの実施形態では、方法は、セルがデバイスによってサポートされる第一公衆陸上移動通信網についてのスタンドアロンアクセスに利用可能であることをインディケーションが示す場合に、デバイスからセルに関するスタンドアロンアクセスについての要求を受信することを備える。
【００１８】
いくつかの実施形態では、方法は、セルがデバイスによってサポートされる第一公衆陸上移動通信網についてのスタンドアロンアクセスに利用可能ではないことをインディケーションが示す場合に、デバイスからセルの非スタンドアロンアクセスについての要求を受信することを備える。
【００１９】
いくつかの実施形態では、方法は、セルが複数の公衆陸上移動通信網についてのスタンドアロンアクセスに利用可能であるか否かに関するインディケーションを含むシステム情報ブロックのデバイスへの送信を引き起こすことを備える。
【００２０】
いくつかの実施形態では、複数の公衆陸上移動通信網のうちの少なくとも１つについて、インディケーションは、トラッキングエリアコードの有無を含む。
【００２１】
いくつかの実施形態では、複数の公衆陸上移動通信網のうちの少なくとも１つについて、インディケーションは、トラッキングエリアコード情報のフィールドにバイナリインディケータを含む。
【００２２】
いくつかの実施形態では、複数の公衆陸上移動通信網のうちの少なくとも１つについて、インディケーションは、セルアクセス関連情報にバイナリインディケータを含む。
【００２３】
第三態様に従い、コンピュータプログラムがコンピューティングデバイス上で実行されるときに、方法を提供するような命令を含むコンピュータプログラムが提供され、コンピューティングデバイスは、第一態様または第二態様のいずれかのステップを行うように配置される。
【００２４】
第四態様に従い、少なくとも１つのプロセッサ及びコンピュータプログラムコードを含む少なくとも１つのメモリを備える装置が提供され、少なくとも１つのメモリ及びコンピュータプログラムコードは、少なくとも１つのプロセッサで、装置に少なくとも、第一公衆陸上移動通信網と関連するデバイスにおいてセルを検出させ、セルによってサポートされる複数の公衆陸上移動通信網のそれぞれについて、セルがその公衆陸上移動通信網についてのスタンドアロンアクセスに利用可能であるか否かに関するインディケーションを受信させ、インディケーションに応じて、また第一公衆陸上移動通信網に基づいて、セルのスタンドアロンアクセスを要求するかどうかを決定させるように構成される。
【００２５】
いくつかの実施形態では、セルは、複数の公衆陸上移動通信網のいくつかについてのスタンドアロンアクセスに利用可能であり、セルは、複数の公衆陸上移動通信網のいくつかについてのスタンドアロンアクセスに利用可能ではない。
【００２６】
いくつかの実施形態では、装置は、セルが第一公衆陸上移動通信網についてのスタンドアロンアクセスに利用可能であることをインディケーションが示す場合に、セルについてのスタンドアロンアクセスを要求するように構成される。
【００２７】
いくつかの実施形態では、セルについてのスタンドアロンアクセスを要求する少なくとも前に、デバイスは、ＩＤＬＥモードにある。
【００２８】
いくつかの実施形態では、装置は、セルが第一公衆陸上移動通信網についてのスタンドアロンアクセスに利用可能ではないことをインディケーションが示す場合に、デュアルコネクティビティモードでセルにアクセスするように構成される。
【００２９】
いくつかの実施形態では、装置は、セルが複数の公衆陸上移動通信網についてのスタンドアロンアクセスに利用可能であるか否かに関するインディケーションを含むシステム情報ブロックを、基地局から受信するように構成される。
【００３０】
いくつかの実施形態では、複数の公衆陸上移動通信網のうちの少なくとも１つについて、インディケーションは、トラッキングエリアコードの有無を含む。
【００３１】
いくつかの実施形態では、複数の公衆陸上移動通信網のうちの少なくとも１つについて、インディケーションは、トラッキングエリアコード情報のフィールドにバイナリインディケータを含む。
【００３２】
いくつかの実施形態では、複数の公衆陸上移動通信網のうちの少なくとも１つについて、インディケーションは、セルアクセス関連情報にバイナリインディケータを含む。
【００３３】
第五態様に従い、少なくとも１つのプロセッサ及びコンピュータプログラムコードを含む少なくとも１つのメモリを備える装置が提供され、少なくとも１つのメモリ及びコンピュータプログラムコードは、少なくとも１つのプロセッサで、装置に少なくとも、セルによってサポートされる複数の公衆陸上移動通信網のそれぞれについて、セルがその公衆陸上移動通信網のスタンドアロンアクセスに利用可能であるか否かに関するインディケーションのデバイスへの送信を引き起こさせるように構成される。
【００３４】
いくつかの実施形態では、セルは、複数の公衆陸上移動通信網のいくつかについてのスタンドアロンアクセスに利用可能であり、セルは、複数の公衆陸上移動通信網のいくつかについてのスタンドアロンアクセスに利用可能ではない。
【００３５】
いくつかの実施形態では、装置は、セルがデバイスによってサポートされる第一公衆陸上移動通信網についてのスタンドアロンアクセスに利用可能であることをインディケーションが示す場合に、デバイスからセルに関するスタンドアロンアクセスについての要求を受信するように構成される。
【００３６】
いくつかの実施形態では、装置は、セルがデバイスによってサポートされる第一公衆陸上移動通信網についてのスタンドアロンアクセスに利用可能ではないことをインディケーションが示す場合に、デバイスからセルの非スタンドアロンアクセスについての要求を受信するように構成される。
【００３７】
いくつかの実施形態では、装置は、セルが複数の公衆陸上移動通信網についてのスタンドアロンアクセスに利用可能であるか否かに関するインディケーションを含むシステム情報ブロックのデバイスへの送信を引き起こすように構成される。
【００３８】
いくつかの実施形態では、複数の公衆陸上移動通信網のうちの少なくとも１つについて、インディケーションは、トラッキングエリアコードの有無を含む。
【００３９】
いくつかの実施形態では、複数の公衆陸上移動通信網のうちの少なくとも１つについて、インディケーションは、トラッキングエリアコード情報のフィールドにバイナリインディケータを含む。
【００４０】
いくつかの実施形態では、複数の公衆陸上移動通信網のうちの少なくとも１つについて、インディケーションは、セルアクセス関連情報にバイナリインディケータを含む。
【００４１】
第六態様に従い、第一公衆陸上移動通信網と関連するデバイスにおいてセルを検出する手段と、セルによってサポートされる複数の公衆陸上移動通信網のそれぞれについて、セルがその公衆陸上移動通信網についてのスタンドアロンアクセスに利用可能であるか否かに関するインディケーションを受信する手段と、インディケーションに応じて、また第一公衆陸上移動通信網に基づいて、セルのスタンドアロンアクセスを要求するどうかを決定する手段と、を備える装置が提供される。
【００４２】
第七態様に従い、セルによってサポートされる複数の公衆陸上移動通信網のそれぞれについて、セルがその公衆陸上移動通信網のスタンドアロンアクセスに利用可能であるか否かに関するインディケーションのデバイスへの送信を引き起こす手段を備える装置が提供される。
【００４３】
ここでは、いくつかの例を添付の図を参照して説明する。
【図面の簡単な説明】
【００４４】
【図１】基地局及び複数の通信デバイスを備える例示的な通信システムの概略図を示す。
【図２】例示的なモバイル通信デバイスの概略図を示す。
【図３】例示的な制御装置の概略図を示す。
【図４】非一時的コンピュータ可読媒体の一例を図示する。
【図５】デュアルコネクティビティを図示する例示的な通信システムを示す。
【図６】適用例に従い、初期アクセスプロシージャを図示する例示的な通信システムを示す。
【図７】通信デバイスに実装されることができる方法の一例を示す。
【図８】基地局、または基地局のための制御装置に実装されることができる方法の一例を示す。
【発明を実施するための形態】
【００４５】
例を詳細に説明する前に、無線通信システム及びモバイル通信デバイスの特定の一般原理は、説明されている例の基礎となるテクノロジーを理解する際に支援するために、図１から２を参照して簡単に説明される。
【００４６】
図１に示されるような無線通信システム１００では、少なくとも１つの基地局、または同様の無線送信及び／または受信ノードもしくはポイントを介して、モバイル通信デバイスまたはユーザ機器（ＵＥ）１０２、１０４、１０５に無線アクセスを提供する。基地局は、その動作、及び基地局と通信するモバイル通信デバイスの管理を可能にするように、通常、少なくとも１つの適切なコントローラ装置によって制御される。コントローラ装置は、無線アクセスネットワーク（例えば、無線通信システム１００）に、またはコアネットワーク（ＣＮ）（図示せず）に位置していることができ、１つの中央装置として実装され得、またはその機能は、いくつかの装置にわたり分散され得る。コントローラ装置は、基地局の一部分である、及び／または無線ネットワーク制御装置などの別個のエンティティによって提供され得る。図１では、制御装置１０８及び１０９は、それぞれのマクロレベル基地局１０６及び１０７を制御するように示される。基地局の制御装置は、他の制御エンティティと相互接続され得る。制御装置は、通常、メモリ容量、及び少なくとも１つのデータプロセッサを備える。制御装置及び機能は、複数の制御ユニット間に分散され得る。いくつかのシステムでは、制御装置は、追加で、または代替に、無線ネットワーク制御装置に提供され得る。
【００４７】
図１では、基地局１０６及び１０７は、ゲートウェイ１１２を介してより広域の通信ネットワーク１１３に接続されるように示される。別のネットワークに接続するために、さらなるゲートウェイ機能を提供することができる。
【００４８】
また、より小型の基地局１１６、１１８及び１２０は、例えば、別個のゲートウェイ機能によって、及び／またはマクロレベル局のコントローラを介して、ネットワーク１１３に接続され得る。基地局１１６、１１８及び１２０は、ピコまたはフェムトレベルの基地局などであり得る。この例では、局１１６及び１１８は、ゲートウェイ１１１を介して接続され、局１２０は、コントローラ装置１０８を介して接続する。いくつかの実施形態では、より小型の局を提供しない場合がある。より小型の基地局１１６、１１８及び１２０は、第二ネットワーク、例えばＷＬＡＮの一部分であり得、ＷＬＡＮ  ＡＰであり得る。
【００４９】
無線通信システムの一例は、第３世代パートナーシッププロジェクト（３ＧＰＰ）によって規格化されるアーキテクチャである。３ＧＰＰベースの開発は、ユニバーサル移動体通信システム（ＵＭＴＳ）無線アクセス技術のロングタームエボリューション（ＬＴＥ）と称されることが多い。３ＧＰＰ仕様のさまざまな開発段階は、リリースと称される。ＬＴＥの最近の開発は、ＬＴＥアドバンスト（ＬＴＥ−Ａ）と称されることが多い。ＬＴＥは、進化型ユニバーサルテレストリアル無線アクセスネットワーク（Ｅ−ＵＴＲＡＮ）として知られているモバイルアーキテクチャを採用する。それらのようなシステムの基地局は、進化型または拡張型ノードＢ（ｅＮＢ）として知られており、通信デバイスに向けて、ユーザプレーンパケットデータコンバージェンス／無線リンク制御／媒体アクセス制御／物理層プロトコル（ＰＤＣＰ／ＲＬＣ／ＭＡＣ／ＰＨＹ）などのＥ−ＵＴＲＡＮ機能、及びコントロールプレーン無線リソース制御（ＲＲＣ）プロトコル終端を提供する。無線アクセスシステムの他の例は、ワイヤレスローカルエリアネットワーク（ＷＬＡＮ）及び／またはＷｉＭａｘ（マイクロ波アクセスのための世界的相互運用性）などのテクノロジーに基づくシステムの基地局によって提供されるものを含む。基地局は、セル全体、または同様の無線サービスエリアにカバレッジを提供することができる。
【００５０】
適切な通信システムの一例は、５ＧまたはＮＲの概念である。ＮＲにおけるネットワークアーキテクチャは、ＬＴＥアドバンストのネットワークアーキテクチャと類似する場合がある。ＮＲシステムの基地局は、次世代ノードＢ（ｇＮＢ）として知られている場合がある。ネットワークアーキテクチャへの変更は、さまざまな無線技術、及びより細かいＱｏＳサポートをサポートする必要性、ならびにユーザ視点のＱｏＥをサポートするＱｏＳレベルなどについてのいくつかのオンデマンド要件に依存し得る。また、ネットワーク対応のサービス及びアプリケーション、ならびにサービス及びアプリケーション対応のネットワークは、アーキテクチャに変更をもたらす可能性がある。これらは、情報指向ネットワーク（ＩＣＮ）及びユーザ指向コンテンツ配信ネットワーク（ＵＣ−ＣＤＮ）アプローチに関連がある。ＮＲは、より小型の局と連携して動作するマクロサイトを含み、おそらく、より良いカバレッジ、及びデータレートの向上のためにさまざまな無線テクノロジーも採用する、多入力−多出力（ＭＩＭＯ）アンテナ、ＬＴＥよりもはるかに多い基地局またはノード（いわゆるスモールセルの概念）を使用することができる。
【００５１】
将来のネットワークは、ネットワーク機能の仮想化（ＮＦＶ）を利用することができ、このＮＦＶは、サービスを提供するために操作上接続される、またはリンクされることができる「ビルディングブロック」またはエンティティにネットワークノード機能を仮想化することを提案するネットワークアーキテクチャの概念である。仮想化ネットワーク機能（ＶＮＦ）は、カスタマイズされたハードウェアの代わりに、標準または汎用タイプのサーバを使用してコンピュータプログラムコードを実行する１つ以上の仮想マシンを含むことができる。クラウドコンピューティングまたはデータストレージも利用することができる。無線通信の文脈では、これは、分散ユニットＤＵ（例えば、無線ヘッド／ノード）に操作上結合される、少なくとも部分的に、中央／集約ユニットＣＵ（例えば、サーバ、ホストまたはノード）においてノード操作を実行することを意味することができる。また、ノード操作が複数のサーバ、ノードまたはホスト間で分散されることも可能である。また、コアネットワークの運用と基地局の運用との間の労働力の配分がＬＴＥのそれとは異なる場合、または存在しない場合さえあることも理解されたい。一実施形態では、サーバは、仮想ネットワークを生成することができ、この仮想ネットワークを介してサーバが無線ノードと通信する。一般に、仮想ネットワーキングは、ハードウェアとソフトウェアのネットワークリソース及びネットワーク機能を、単一のソフトウェアベースの管理エンティティである仮想ネットワークに結合するプロセスを伴うことができる。このような仮想ネットワークは、サーバと無線ヘッド／ノードとの間の操作の柔軟な分散を提供することができる。実際には、任意のデジタル信号処理タスクをＣＵまたはＤＵのいずれか一方で行うことができ、ＣＵとＤＵとの間で責任が転嫁される境界は、特定の実装に従って選択されることができる。
【００５２】
ここでは、通信デバイス２００の概略的な部分断面図を示す図２を参照して、可能なモバイル通信デバイスをさらに詳細に説明する。そのような通信デバイスは、ユーザ機器（ＵＥ）または端末と称されることが多い。適切なモバイル通信デバイスは、無線信号を送信して受信することが可能な任意のデバイスによって提供されることができる。非限定的な例は、移動局（ＭＳ）、もしくは携帯電話もしくは「スマートフォン」として知られているものなどのモバイルデバイス、無線インタフェースカードもしくは他の無線インタフェース設備（例えば、ＵＳＢドングル）を備えたコンピュータ、ワイヤレス通信機能を備えたパーソナルデータアシスタント（ＰＤＡ）もしくはタブレット、またはこれらの、もしくは同様のもののいずれかの組み合わせを含む。モバイル通信デバイスは、例えば、音声、電子メール（ｅメール）、テキストメッセージ、マルチメディアなどのような通信を搬送するために、データ通信を提供することができる。したがって、ユーザは、ユーザの通信デバイスを介して多数のサービスを提示され、提供され得る。これらのサービスの非限定的な例は、双方向もしくは多方向通話、データ通信もしくはマルチメディアサービス、または単にインターネットなどのデータ通信ネットワークシステムへのアクセスを含む。ユーザは、ブロードキャストまたはマルチキャストデータも提供され得る。コンテンツの非限定的な例は、ダウンロード、テレビ及びラジオ番組、ビデオ、広告、さまざまなアラート及び他の情報を含む。
【００５３】
通信デバイス１０２、１０４、１０５は、符号分割多元接続（ＣＤＭＡ）、または広帯域ＣＤＭＡ（ＷＣＤＭＡ）などのさまざまなアクセス技術に基づき通信システムにアクセスすることができる。他の非限定的な例は、時分割多元接続（ＴＤＭＡ）と、周波数分割多元接続（ＦＤＭＡ）ならびにインターリーブ周波数分割多元接続（ＩＦＤＭＡ）、シングルキャリア周波数分割多元接続（ＳＣ−ＦＤＭＡ）及び直交周波数分割多元接続（ＯＦＤＭＡ）などのそのさまざまなスキームと、空間分割多元接続（ＳＤＭＡ）などを含む。
【００５４】
モバイルデバイス２００は、受信するための適切な装置を介してエアインタフェースまたは無線インタフェース２０７経由で信号を受信することができ、無線信号を送信するために適切な装置を介して信号を送信することができる。図２では、トランシーバ装置は、ブロック２０６によって概略的に示されている。トランシーバ装置２０６は、例えば、無線パーツ及び関連したアンテナ配置によって提供されることができる。アンテナ配置は、モバイルデバイスの内部に、または外部に配置されることができる。
【００５５】
モバイルデバイスは、通常、タスクのソフトウェア及びハードウェア支援実行に使用するための、少なくとも１つのデータ処理エンティティ２０１、少なくとも１つのメモリ２０２、及び他の可能なコンポーネント２０３を備え、モバイルデバイスは、アクセスシステム及び他の通信デバイスへのアクセスの制御、ならびにアクセスシステム及び他の通信デバイスとの通信の制御を含むタスクを行うように設計される。データ処理、ストレージ、及び他の関連する制御装置は、適切な回路基板上に、及び／またはチップセット中に提供され得る。この特徴を参照番号２０４で示す。ユーザは、キーパッド２０５、音声コマンド、タッチセンシティブスクリーンもしくはパッド、それらの組み合わせ、または同様のものなどの適切なユーザインタフェースによってモバイルデバイスの動作を制御することができる。ディスプレイ２０８、スピーカー及びマイクロフォンも提供することができる。さらに、モバイル通信デバイスは、他のデバイスへの、及び／またはハンズフリー機器などの外部アクセサリをそこに接続するための、適切なコネクタ（有線または無線のいずれか）を備えることができる。
【００５６】
図３は、ＲＡＮノード、例えば基地局、ノードＢ（ｅノードＢ）もしくは５Ｇ  ＡＰなどのアクセスシステムの局、またはＭＭＥもしくはＳ−ＧＷなどのコアネットワークのノード、またはサーバもしくはホストに結合される、及び／またはこれらを制御する、通信システムのための制御装置の一例を示す。この方法は、単一の制御装置に、または１つより多い制御装置にわたり実装され得る。制御装置は、コアネットワークまたはＲＡＮのノードまたはモジュールと統合され得る、またはそれらの外部にあり得る。いくつかの実施形態では、基地局は、別個の制御装置ユニットまたはモジュールを備える。他の実施形態では、制御装置は、無線ネットワーク制御装置またはスペクトルコントローラなどの別のネットワークエレメントであり得る。いくつかの実施形態では、各基地局は、そのような制御装置、ならびに無線ネットワーク制御装置内に提供される制御装置を含むことができる。制御装置３００は、システムのサービスエリア内の通信に制御を提供するように配置されることができる。制御装置３００は、少なくとも１つのランダムアクセスメモリ３１０、少なくとも１つの読み出し専用メモリ３５０、少なくとも１つのデータ処理ユニット３２０、３３０、及び入出力インタフェース３４０を含む。インタフェースを介して、制御装置は、基地局の受信機及び送信機に結合されることができる。受信機及び／または送信機は、無線フロントエンドまたはリモート無線ヘッドとして実装されてもよい。
【００５７】
ネットワーク内のセル展開に関するさまざまな可能性が存在する。セルは、ＩＤＬＥモードで動作しているデバイスがセルにアクセスすることができるスタンドアロン展開で展開されることができる。スタンドアロンモードでは、ＩＤＬＥデバイスは、初期アクセスプロシージャを開始して完了することができ、このプロシージャでは、デバイスは、セルにアクセスしてデータ転送を開始する。初期アクセスプロシージャは、セルの検索及び選択、システム情報のセルの基地局からの受信、及びセルにアクセスするためのランダムアクセスプロシージャを行うことを含むことができる。
【００５８】
通信デバイスにおいて基地局から受信するシステム情報は、１つ以上の情報ブロックを含むことができる。ＬＴＥでは、セル選択が行われた後、デバイスは、ｅＮｏｄｅＢからマスター情報ブロック（ＭＩＢ）を受信するように設定される。ＭＩＢは、システム帯域幅のインディケーションと、物理ハイブリッドＡＲＱインディケータチャネル（ＰＨＩＣＨ）に関連する情報とを含み、ダウンリンクでは、アップリンクデータ転送のためにハイブリッドＡＲＱ（ＨＡＲＱ）肯定応答（ＡＣＫ／ＮＡＣＫ）を搬送する。ＭＩＢの受信後、デバイスは、ｅＮＢから一連のシステム情報ブロックを受信する。これらは、１から２２まで連続して番号付けされる。３ＧＰＰ  Ｅ−ＵＴＲＡ規格仕様に２２個のＳＩＢ（ＳＩＢ１からＳＩＢ２２−ＮＢ）がある。各ＳＩＢは特定の情報を含む。ＳＩＢ１は、システム情報ブロックタイプ１を意味する。ＳＩＢ１は、ＵＥがセルにアクセスするために必要な、セルＩＤのインディケーション、残りのＳＩＢについてのスケジューリング情報、及びセルアクセス関連情報を含む。３ＧＰＰ  ＮＲ仕様が確定されていないことから、ＮＲ内のＳＩＢの総数はまだ不明である。ただし、現在の３ＧＰＰ合意によれば、ＮＲにおけるＳＩＢ１は、Ｅ−ＵＴＲＡについて前述したものと同様の情報を含むが、ＮＲの細部に起因する差異を有する。
【００５９】
非スタンドアロンモード（ＮＳＡ）でセルを展開することができ、このモードでは、デュアルコネクティビティモードでのみセルにアクセスすることができる。例えば、いわゆるオプション３では、ＬＴＥセルがマスターセルグループ（ＭＣＧ）の一部分であるように、ＮＳＡをサポートする新しい無線（ＮＲ）セルは、Ｅ−ＵＴＲＡ−ＮＲデュアルコネクティビティ（ＥＮ−ＤＣ）モード中にＳＣＧ（セカンダリセルグループ）の一部分としてのみＵＥに追加されることができる。他のＮＳＡオプションは、例えば、オプション４（ＮＲセルはＭＣＧの一部分であり、ＬＴＥセルはＳＣＧの一部分である）、及びオプション７（再度、ＬＴＥはＭＣＧの一部分であり、ＮＲセルはＳＣＧの一部分であるが、それらはオプション３のもののようなＬＴＥコアネットワーク（進化型パケットコア）の代替に、５Ｇコアネットワークに両方とも接続される）を含む。オプション３内のＮＳＡセル（セカンダリセルグループの一部分である）の基地局は、デバイスに追加の無線リソースを提供するセカンダリ基地局（セカンダリノード（ＳＮ）とも称される）であることができる。
【００６０】
セルのためのスタンドアロン及び非スタンドアロン展開シナリオを示す例示的な通信システム５００を示す、図５に参照を行う。図では、システムのコンポーネント間の実線はデータプレーンを示す。一方、破線はコントロールプレーンを示す。通信システム５００は、第一基地局５２０と通信するように構成される通信デバイス５１０（例えば、ＵＥ）を含む。第一基地局５２０は、ＥｎｏｄｅＢ（ＬＴＥにおける）、またはｇＮｏｄｅＢ（新しい無線における）であり得る。第一基地局５２０は、データ及び制御情報を交換することにより、コアネットワーク５４０と通信するように構成される。コアネットワーク５４０は、第一ＰＬＭＮに属することができ、第一ＰＬＭＮに関連するデバイスにサービスを提供することができる。この例では、第一デバイスは第一ＰＬＭＮに関連付けられる。第一基地局５２０は、コアネットワーク５４０と直接に制御情報を交換することから、第一ＰＬＭＮに関連するデバイスについてのマスター基地局として機能することができる。したがって、第一基地局５２０は、スタンドアロンモードで展開されるセルを第一ＰＬＭＮに関連付けられるデバイスに提供し、デバイス５１０は、第一基地局５２０で開始する初期アクセスプロシージャを介してＩＤＬＥモードにあるときに、これらのセルにアクセスすることができる。これらのセルがスタンドアロンモードで展開されることから、デバイス５１０は、いくつかの例では、デュアルコネクティビティモードで動作する代替に、第一基地局５２０のみと接続することができる。
【００６１】
図５に示される例では、通信デバイス５１０は、異なる基地局への２つの別個の接続を有するデュアルコネクティビティモードで動作するように構成される。図には第二基地局５３０が示されており、これもデバイス５１０と通信している。第二基地局５３０は、データをコアネットワーク５４０と直接交換することができる。ただし、第二基地局５３０は、制御情報をコアネットワーク５４０と直接交換しない。むしろ、第二基地局５３０は、制御情報を第一基地局５２０と交換する。第一基地局５２０は、制御及びデータ情報をコアネットワーク５４０と交換し、コアネットワーク５４０へのモビリティアンカーとして機能する。第一基地局５１０と第二基地局５２０との間で交換されるデータ及び制御情報は、第一基地局５１０と第二基地局５２０との間のバックホール通信リンクを介して交換され得る。したがって、第二基地局５３０は、第一ＰＬＭＮに関連するデバイスのために、セカンダリセルグループを提供するセカンダリ基地局として機能する。セカンダリセルグループのセルは、非スタンドアロンモードで展開されていると言うことができる。一実施形態では、基地局５２０及び５３０は、２つ（またはそれ以上）のセルを提供する単一の基地局として同じ位置に置かれていることができる。これらのセルのうち、スタンドアロンアクセスをサポートすることができるセルもあれば、スタンドアロンアクセスをサポートすることができないセル（すなわち、非スタンドアロンアクセスをサポートするセル）もある。
【００６２】
通信デバイス５１０は、セカンダリ基地局５３０と同様に第一基地局５２０とデュアルコネクティビティにあるときにのみ、セカンダリ基地局５３０によって提供されるセルにアクセスすることができる。デバイス５１０が第二基地局のセルに接続する前に第一基地局５２０のセルに接続するように構成されることから、第二基地局のセルに接続される場合、上記の初期アクセスプロシージャを行う必要はない。第二基地局５３０のセルが第一ＰＬＭＮについてのスタンドアロンモードでの動作のために構成されていないことから、デバイス５１０は、初期アクセスプロシージャを使用してそれらにアクセスすることができない。
【００６３】
したがって、図５に示される例では、通信システムのセルは、スタンドアロンモードまたは非スタンドアロンモードで展開され得る。
【００６４】
発生する可能性がある１つの問題は、スタンドアロン動作用に構成されているセル、及び非スタンドアロン動作用に構成されているセルをデバイス５１０が認識していない場合、デバイスがスタンドアロン動作用に構成されていないセルに対して初期アクセス要求を繰り返し行う可能性があることである。したがって、これらの要求はネットワークによって拒否され続ける。これは、要求を送信することによってバッテリー電力を使用するデバイスにとっては非効率的であり得る。また、エアインタフェース及びネットワークインタフェースに発生する追加のシグナリングにより、ネットワークにとっても非効率的であり得る。
【００６５】
この問題に対して提案されている解決策の１つは、基地局が送信する情報から、デバイスがアクセス要求を送信するために必要な情報を除外することである。これは、上述の初期アクセスプロシージャ中に基地局によって行われたシステム情報送信からＳＩＢ１を除外することを備えることができる。ＳＩＢ１がないことは、基地局からデバイスで受信されるＭＩＢに示され得る。あるいは、それは、ＳＩＢ１を送信することを備えることができるが、ＵＥが初期アクセス試行を行うために必要な情報が省略されている。この場合、ＳＩＢ１は、自動隣接関係（ＡＮＲ）機能に必要とされる情報（例えば、いわゆるセルアクセス関連情報）を依然として含むことができる。
【００６６】
ＡＮＲでは、各セルは、その隣接セルを検出し、その隣接セルリストを自動的に更新する。セルがその隣接セルの存在を検出する測定機能を有さないことから、セルに接続されるＵＥは、その周囲のセルを検出し、これを基地局に報告するように基地局から指令されてもよい。提案された変更されたＳＩＢ１は、初期アクセスプロシージャに必要な情報を省略してもよいが、ＡＮＲ機能を行うために必要なセルアクセス関連情報を保持することができる。
【００６７】
ＳＩＢ１（またはＳＩＢ１からのある特定の情報）を省略すると、初期アクセスに必要な情報が欠落していることから、ＩＤＬＥモードのデバイスはセルにアクセスすることを試みない。ＡＮＲ目的のための最小限の情報のみを提供することができる。
【００６８】
場合によっては、通信システムに対して、ネットワーク共有が実装されてもよい。この場合、２人以上の事業者がネットワークインフラストラクチャの部分を共有して、規模の経済を改善する。例えば、無線アクセスネットワーク、セルサイト、及びバックホールトランスポートは、２人以上の事業者によって共有されることができる。コアネットワーク機器は、各事業者に専用のままであってもよい。その結果、各事業者は独自の公衆陸上移動通信網（ＰＬＭＮ）を確立して運用することができる。コアネットワークが特定のＰＬＭＮに属することができることから、基地局をＰＬＭＮ間で共有することができるが、通信システムの特定のセルが、一部のＰＬＭＮについてのスタンドアロンアクセスに利用可能であることができる一方で、他のＰＬＭＮについての非スタンドアロンアクセスにのみ利用可能であることができるという状況が発生する場合がある。上記の提案された解決策（すなわち、ＳＩＢ１の省略、または初期アクセスプロシージャに必要な情報の送信からの省略）がこのコンテキストで適用された場合、セルが、デバイスのＰＬＭＮについてのスタンドアロンアクセスに利用可能であるが、他のデバイスのＰＬＭＮについてのスタンドアロンアクセスに利用可能ではなくても、デバイスはアクセス要求を送信しない場合がある。したがって、上記の提案はネットワーク共有シナリオには理想的ではない。適用例は、これらの問題に対処することができる。
【００６９】
コアネットワーク５４０に加えて、コアネットワーク５５０も示す、図５に再度参照を行う。コアネットワーク５４０は第一ＰＬＭＮに属し、コアネットワーク５５０は第二ＰＬＭＮに属する。コアネットワーク５４０は、進化型パケットコアであってもよい。コアネットワーク５５０は、５Ｇコアネットワークであってもよい。コアネットワーク５５０は、第二基地局５３０に接続され、第二基地局５３０とデータ及び制御情報を交換するように構成される。その結果、第二基地局によって提供されるセルは、第二ＰＬＭＮについてのスタンドアロンモードで展開される。第二ＰＬＭＮに関連付けられるいずれかの通信デバイスは、スタンドアロンモードで第二基地局のセルにアクセスすることができる。ただし、デバイス５１０のような、第一ＰＬＭＮに関連する通信デバイスは、非スタンドアロンモードでのみセルにアクセスすることができる。したがって、ネットワーク共有の結果、セルは一部のＰＬＭＮにスタンドアロンアクセスを提供するが、他のＰＬＭＮには提供しない場合がある。したがって、前述のように、ＳＩＢ１の全部または一部分を省略することに関連する問題が発生する可能性がある。
【００７０】
適用例に従い、基地局は、セルによってサポートされる複数のＰＬＭＮのそれぞれについて、セルがそのＰＬＭＮについてのスタンドアロンアクセスに利用可能であるか否かのインディケーションを通信デバイスに送信する。デバイスは、これらのインディケーションを使用して、セルのスタンドアロンアクセスについてのアクセス要求を送信するか否かを決定するように構成される。デバイスは、特定のＰＬＭＮをサポートするように構成される。デバイスがサポートするＰＬＭＮがセルについてのスタンドアロンアクセスに利用可能であるというインディケーションをデバイスが受信する場合、デバイスはスタンドアロンアクセスについての１つ以上のアクセス要求を送信する。
【００７１】
デバイスがサポートするＰＬＭＮがスタンドアロンアクセスに利用可能ではないというインディケーションをこのデバイスが受信する場合、一部の例では、デバイスはデュアルコネクティビティモードでセルにアクセスすることができる。デュアルコネクティビティモードでは、デバイスはさらなるセル（マスターセル）とも通信することができる。そのデバイスがインディケーションを受信するセルは、非スタンドアロンモードで展開されることができ、デバイスについてのセカンダリセルとして機能することができる。非スタンドアロンモードでセルにアクセスするために、別の基地局（例えば、マスター基地局）は、セルをセカンダリセルグループに追加することができる。
【００７２】
セルがＰＬＭＮについてのスタンドアロンアクセスに利用可能であるか否かに関するインディケーションは、基地局によって送信されるシステム情報に含まれ得る。これらのインディケーションは、上記のＳＩＢ１に送信されてもよい。ＳＩＢ１の構造、及びそこにインディケーションを含むことができる方法の例を附属書Ａに示す。ＳＩＢ１は、ＵＥがセルにアクセスすることを許可されているかどうかを評価し、他のシステム情報のスケジューリングを規定する情報を含む。また、そのＳＩＢ１は、すべてのＵＥに共通の無線リソースコンフィグレーション情報を含む。
【００７３】
デバイスは、これらのインディケーションを受信し、デバイスによってサポートされるＰＬＭＮについてのスタンドアロンアクセスをセルがサポートするかどうかを決定することができる。そうである場合、次いで、デバイスは、スタンドアロンアクセスについてのアクセス要求をセルに送信することができる。アクセス要求は、初期アクセス要求であってもよい。
【００７４】
適用例を実装することができる例示的な通信システム６００を示す、図６に参照を行う。
【００７５】
例示的な通信システム６００は、通信デバイス６１０及び基地局６２０を含む。基地局６２０は、１つ以上のセルを提供する。通信デバイス６１０は、セルのうちの１つを検出する。セルは、複数のＰＬＭＮをサポートするように構成される。デバイス６１０は、これらのＰＬＭＮのうちの１つに従って動作する。デバイス６１０は、セルと接続する前にＩＤＬＥモードにあってもよい。一実施形態では、デバイス６１０は、複数のセルを検出し、各セルは、複数のＰＬＭＮをサポートするように構成されるため、各セルは、ＰＬＭＮに基づいて、スタンドアロンまたは非スタンドアロンセルとして展開され得る。
【００７６】
基地局６２０は、セルへのスタンドアロンアクセスが、基地局のセルに関連する複数のＰＬＭＮに利用可能であるか否かに関するインディケーション６４０をデバイス６１０に提供する。各インディケーションは、セルへのスタンドアロンアクセスがセルに関連付けられる特定のＰＬＭＮに利用可能であるか否かを具体的に示す。
【００７７】
デバイス６１０は、インディケーション６４０を受信し、インディケーション、及びデバイスによってサポートされるＰＬＭＮに応じて、スタンドアロンアクセスについての要求６５０を基地局６２０に送信するか否かを決定するように構成される。デバイス６１０がサポートするＰＬＭＮにセルへのスタンドアロンアクセスが利用可能であるとそのデバイスが決定する場合、デバイスは、スタンドアロンアクセスについての要求６５０を基地局６２０に送信する。
【００７８】
デバイスがサポートするＰＬＭＮにスタンドアロンアクセスが利用可能ではないとそのデバイスが決定する場合、デバイスは、スタンドアロンアクセスについての要求６５０を基地局６２０に送信しない。デバイス６１０は、セルがサポートするＰＬＭＮについての非スタンドアロンアクセスにセルが利用可能であるというインディケーションから決定することができる。この場合、デバイス６１０は、非スタンドアロンモードでセルにアクセスすることができる。デバイス６１０は、セルが非スタンドアロンモードに利用可能であり、デバイスがサポートするＰＬＭＮについてのスタンドアロンモードに利用可能ではないというインディケーションから決定する場合、非スタンドアロンモードでセルにアクセスすることができる。非スタンドアロンモードでセルにアクセスすることは、デュアルコネクティビティでセルにアクセスすることを伴う。したがって、デバイス６１０は、基地局６２０のセル、及び別のセルの両方に接続することができる。その他のセルは、さらなる基地局６３０のセルであり得る。その他のセルは、マスターセルグループの一部分であり得、インディケーションを受信するセルは、セカンダリセルグループの一部分であり得る。
【００７９】
通信デバイス、例えば、デバイス６１０において行われ得る方法７００の一例を示す、図７を参照する。デバイスは、ＵＥであり得る。
【００８０】
Ｓ７１０では、デバイスは、複数のＰＬＭＮをサポートするセルを検出するように構成される。
【００８１】
Ｓ７２０では、デバイスは、デバイスによってサポートされるＰＬＭＮにスタンドアロンアクセスが利用可能であるか否かに関して、セルによってサポートされる複数のＰＬＭＮのそれぞれについてのインディケーションを受信するように構成される。
【００８２】
Ｓ７３０では、デバイスは、スタンドアロン（ＳＡ）アクセスがデバイスによってサポートされるＰＬＭＮに利用可能であるか否かを決定するように構成される。この決定は、Ｓ７２０においてそのＰＬＭＮについて受信したインディケーションに基づいて行われる。
【００８３】
デバイスによってサポートされるＰＬＭＮにスタンドアロンアクセスが利用可能である場合、方法７００は、Ｓ７４０に進み、方法７００は、デバイスに、セルを提供する基地局へスタンドアロンアクセスについての要求を送信させることを備える。
【００８４】
デバイスがサポートするＰＬＭＮにスタンドアロンアクセスが利用可能ではない場合、Ｓ７５０では、デバイスは、セルに関するスタンドアロンアクセスについての要求を送信しない。方法はＳ７６０に進むことができ、そこでデバイスはデュアルコネクティビティモードでセルにアクセスする。
【００８５】
Ｓ７６０では、デュアルコネクティビティモードでセルにアクセスするために、デバイスは、スタンドアロンアクセスモードで第二セル（マスターセルグループの一部分）にアクセスしていることができる。マスター基地局は、非スタンドアロンモードでは、スタンドアロンアクセスが利用可能ではない、セルにデバイスがアクセスすることを可能にする情報をデバイスに送信する。この情報は、セカンダリセルグループのコンフィグレーションを含むことができる。情報を受信した後、デバイスは、非スタンドアロンモードでセルにアクセスすることができる。
【００８６】
基地局に、または基地局の制御装置に行われ得る方法８００の一例を示す、図８を参照する。基地局は、少なくとも１つのセルを提供する。
【００８７】
Ｓ８１０では、この方法は、そのＰＬＭＮにスタンドアロンアクセスが利用可能であるか否かに関して、セルによってサポートされる各ＰＬＭＮについてのインディケーションの送信を引き起こすことを備える。
【００８８】
Ｓ８２０では、デバイスによってサポートされるＰＬＭＮにスタンドアロンアクセスが利用可能である場合、方法はＳ８３０に進む。一方、スタンドアロンアクセスがデバイスによってサポートされるＰＬＭＮに利用可能ではない場合、方法はＳ８４０に進む。
【００８９】
Ｓ８３０では、基地局は、セルに関するスタンドアロンアクセスについての要求をデバイスから受信する。
【００９０】
Ｓ８４０では、基地局は、セルに関するスタンドアロンアクセスについての要求を受信しない。
【００９１】
この方法は、Ｓ８５０に進むことができ、Ｓ８５０では、セルは、デュアルコネクティビティモードでデバイスによってアクセスされる。これは、基地局がセルへの非スタンドアロンアクセスについての要求を受信して、それに応答することを備えることができる。
【００９２】
本出願のインディケーションを提供せずに、特定のセルについてのスタンドアロン動作をサポートしないＰＬＭＮに属するスタンドアロン対応デバイスは、そのセルへのアクセスを試み続けるため、ネットワークによって拒否され続ける場合がある。これは、ネットワークを介してこれらの要求を送信することによりバッテリー電力を不必要に浪費し、エアインタフェース及びネットワークインタフェースで発生する追加の不必要なシグナリングが原因で無線リソースを浪費する。これらのインディケーションをデバイスに提供することにより、適用例は、これらの問題に対処することができる。
【００９３】
図７及び８のフローチャートの各ブロック、ならびにそれらのいずれかの組み合わせが、ハードウェア、ソフトウェア、ファームウェア、１つ以上のプロセッサ及び／または回路などのさまざまな手段またはそれらの組み合わせによって実装されることができることを理解されたい。
【００９４】
これらの方法は、図２に関して説明されるようなモバイルデバイス上で、または図３に示されるような制御装置上で実装されることができる。
【００９５】
一実施形態では、これらのインディケーションが送信されるセルは、クローズドサブスクライバグループ（ＣＳＧ）に属していない。一実施形態では、セルからのインディケーションは、ＣＳＧに関係しない。
【００９６】
制御機能は、第一公衆陸上移動通信網と関連するデバイスにおいてセルを検出することと、このセルによってサポートされる複数の公衆陸上移動通信網のそれぞれについて、セルがその公衆陸上移動通信網についてのスタンドアロンアクセスに利用可能であるか否かに関するインディケーションを受信することと、インディケーションに応じて、また第一公衆陸上移動通信網に基づいて、セルのスタンドアロンアクセスを要求するかどうかを決定することと、を備えることができる。
【００９７】
追加または代替として、制御機能は、セルによってサポートされる複数の公衆陸上移動通信網のそれぞれについて、セルがその公衆陸上移動通信網のスタンドアロンアクセスに利用可能であるか否かに関するインディケーションのデバイスへの送信を引き起こすことを備えることができる。
【００９８】
装置が送信及び／または受信において、またはそのために使用される、無線パーツまたは無線ヘッドのような、他のユニットまたはモジュールなどを含む、またはそれらに結合されることができることを理解されたい。装置が１つのエンティティとして説明されているが、異なるモジュール及びメモリは、１つ以上の物理エンティティまたは論理エンティティで実装されてもよい。
【００９９】
実施形態がＬＴＥ／ＬＴＥ−Ａ／新しい無線に関連して説明されているが、同様の原理が他のネットワーク及び通信システムに関連して適用されることができることに留意する。例えば、これらの原理は、マルチコネクティビティを使用して動作するデバイスに適用されることができる。したがって、無線ネットワーク、テクノロジー及び規格についてある特定の例示的なアーキテクチャを参照して、ある特定の実施形態を例として上記で説明したが、実施形態は、本明細書で例示され説明されるものよりも任意の他の適切な形式の通信システムに適用されることができる。
【０１００】
本明細書では、上記が例示的な実施形態を説明しているが、本発明の範囲から逸脱することなく、開示された解決策に行われることができるいくつかの変形形態及び修正形態があることにも留意する。
【０１０１】
一般に、さまざまな実施形態は、ハードウェアもしくは専用回路、ソフトウェア、論理またはそれらの任意の組み合わせで実装され得る。本発明のいくつかの態様は、ハードウェアで実施されてもよく、他の態様は、コントローラ、マイクロプロセッサ、または他のコンピューティングデバイスによって実行されることができるファームウェアまたはソフトウェアで実施されてもよいが、本発明はそれらに限定されない。本発明のさまざまな態様は、ブロック図、フローチャートとして、または他のいくつかの図的表現を使用して、図示され説明されることができるが、本明細書に説明されるこれらのブロック、装置、システム、技法または方法は、非限定的な例として、ハードウェア、ソフトウェア、ファームウェア、専用回路もしくは論理、汎用ハードウェアもしくはコントローラもしくは他のコンピューティングデバイス、またはそれらのいくつかの組み合わせに実装されることができる。
【０１０２】
本発明の実施形態は、プロセッサエンティティ内などのモバイルデバイスのデータプロセッサにより実行可能なコンピュータソフトウェアによって、またはハードウェアによって、またはソフトウェア及びハードウェアの組み合わせによって実装され得る。ソフトウェアルーチン、アプレット及び／またはマクロを含む、コンピュータソフトウェアまたはプログラム（プログラム製品とも称される）は、任意の装置可読データ記憶媒体に格納されることができ、それらは、特定のタスクを行うためのプログラム命令を含む。コンピュータプログラム製品は、プログラムが実行されるときに、実施形態を実行するように構成される１つ以上のコンピュータ実行可能コンポーネントを含むことができる。１つ以上のコンピュータ実行可能コンポーネントは、少なくとも１つのソフトウェアコードまたはその部分であり得る。
【０１０３】
さらに、これに関して、図のような論理フローの任意のブロックがプログラムステップ、または相互接続された論理回路、ブロック及び機能、またはプログラムステップ及び論理回路、ブロック及び機能の組み合わせを表すことができることに留意されたい。ソフトウェアは、メモリチップ、またはプロセッサ内に実装されたメモリブロックとしてそれらのような物理媒体、ハードディスクまたはフロッピーディスクなどの磁気媒体、ならびに例えばＤＶＤ及びそのデータバリアント、ＣＤなどの光学媒体に格納されることができる。物理媒体は、非一時的媒体である。非一時的コンピュータ可読媒体４００の一例を図４に示す。非一時的コンピュータ可読媒体４００は、ＣＤまたはＤＶＤであってもよい。
【０１０４】
メモリは、ローカル技術環境に適している任意のタイプのものであることができ、半導体ベースのメモリデバイス、磁気メモリデバイス及びシステム、光メモリデバイス及びシステム、固定メモリならびにリムーバブルメモリなどの任意の適切なデータストレージ技術を使用して実装されることができる。データプロセッサは、ローカル技術環境に適している任意のタイプのものであることができ、マルチコアプロセッサアーキテクチャに基づき、非限定的な例として、汎用コンピュータ、専用コンピュータ、マイクロプロセッサ、デジタル信号プロセッサ（ＤＳＰ）、特定用途向け集積回路（ＡＳＩＣ）、ＦＰＧＡ、ゲートレベル回路及びプロセッサのうちの１つ以上を含むことができる。
【０１０５】
本発明の実施形態は、集積回路モジュールなどのさまざまなコンポーネントで実施されることができる。集積回路の設計は、概して高度に自動化されたプロセスである。ロジックレベルの設計を、半導体基板にエッチングして形成される準備ができた半導体回路設計に変換するために複雑で処理能力の高いソフトウェアツールが利用可能である。
【０１０６】
前述の説明は、非限定的な例として、本発明の例示的な実施形態の完全かつ有益な説明を提供した。しかしながら、さまざまな変更形態及び適応形態は、添付の図面及び添付の特許請求の範囲と併せて読まれるときに、前述の説明を考慮して当業者に明らかになることができる。
【０１０７】
しかしながら、本発明の教示のすべてのそれらのような、また同様の変更形態は、添付の特許請求の範囲に定義される通りに本発明の範囲内に依然として含まれる。実際には、１つ以上の実施形態と前述のその他の実施形態のいずれかとの組み合わせを含むさらなる実施形態がある。
附属書Ａ
以下は、特定のＰＬＭＮについて、セルによってスタンドアロンアクセスがサポートされているか否かをデバイスに示すために使用され得る、ＳＩＢ１メッセージ及びその構成要素の構造のインディケーションを提供する。セクション１〜５は、典型的なＳＩＢ１メッセージの構造を示す。セクション６〜９は、各ＰＬＭＮにスタンドアロンアクセスが利用可能であるか否かを示す変更されたＳＩＢ１メッセージの構造の一部分を示す。
ＳＩＢ１メッセージについて、以下を適用することができる。
ＲＬＣ−ＳＡＰ（無線リンク制御−サービスアクセスポイント）：トランスペアレントモード
論理チャネル：報知制御チャネル（ＢＣＣＨ）
１．ＳＩＢ１メッセージ
ＳＩＢ１メッセージの構造は次の通りである。
【表１】
2021510993.tif 000003
2021510993.tif 000004
２．ＣｅｌｌＡｃｃｅｓｓＲｅｌａｔｅｄＩｎｆｏ要素
ＩＥ  ＣｅｌｌＡｃｃｅｓｓＲｅｌａｔｅｄＩｎｆｏは、上記に示される通り、ＳＩＢ１メッセージの一部分であり、このセルについてのセルアクセス関連情報を示す。この構造は次の通りである。
【表２】
2021510993.tif 000005
３．ＰＬＭＮ−ＩｄｅｎｔｉｔｙＬｉｓｔ
ＰＬＭＮ−ＩｄｅｎｔｉｔｙＬｉｓｔは、上記に示される通り、ＣｅｌｌＡｃｃｅｓｓＲｅｌａｔｅｄＩｎｆｏの一部分であり、ＰＬＭＮアイデンティティのリストを提供する。この構造を以下に示す。
【表３】
2021510993.tif 000006
４．ＰＬＭＮアイデンティティ要素
ＰＬＭＮ−ＩｄｅｎｔｉｔｙＬｉｓｔは、ＩＥ  ＰＬＭＮ−Ｉｄｅｎｔｉｔｙ要素を含む。各ＰＬＭＮ−Ｉｄｅｎｔｉｔｙ要素は、公衆陸上移動通信網を識別する。
【表４】
2021510993.tif 000007
５．ＣｅｌｌＩｄｅｎｔｉｔｙ情報要素
ＩＥ  ＣｅｌｌＩｄｅｎｔｉｔｙは、上記に示される通り、ＣｅｌｌＡｃｃｅｓｓＲｅｌａｔｅｄＩｎｆｏの一部分であり、ＰＬＭＮ内のセルを明確に識別するために使用される。
【表５】
2021510993.tif 000008
６．変更されたＭＩＢ１内のＣｅｌｌＡｃｃｅｓｓＲｅｌａｔｅｄＩｎｆｏ
通常のＳＩＢ１の場合と同様に、ＩＥ  ＣｅｌｌＡｃｃｅｓｓＲｅｌａｔｅｄＩｎｆｏは、このセルについてのセルアクセス関連情報を示す。この場合、ｐｌｍｎ−ｉｄｅｎｔｉｔｙＬｉｓｔに示されるＰＬＭＮについてのセルのトラッキングエリアコードを提供する。ＵＥが登録されているＰＬＭＮがない場合、ＵＥはこのセルへのアクセスを試行する必要がない。ＣｅｌｌＡｃｃｅｓｓＲｅｌａｔｅｄＩｎｆｏの構造は、次のように指定されることができる。
【表６】
2021510993.tif 000009
７．変更されたＭＩＢ１内のＴｒａｃｋｉｎｇＡｒｅａＣｏｄｅ
ＣｅｌｌＡｃｃｅｓｓＲｅｌａｔｅｄＩｎｆｏ内のトラッキングエリアコードは、次の通りに指定され得る。
【表７】
2021510993.tif 000010
８．変更されたＳＩＢ１内の代替のＴｒａｃｋｉｎｇＡｒｅａＣｏｄｅ
アプリケーションのいくつかの例では、非スタンドアロンアクセスセルのために構成されるセルについてのＳＩＢ１にトラッキングエリアコードを提供することができる。これは、例えば、ハンドオーバー制限リストに含まれることができる。ＣｅｌｌＡｃｃｅｓｓＲｅｌａｔｅｄＩｎｆｏ内のトラッキングエリアコードは、次の通りに指定され得る。
【表８】
2021510993.tif 000011
９．変更されたＭＩＢ１内の代替のＣｅｌｌＡｃｃｅｓｓＲｅｌａｔｅｄＩｎｆｏ
いくつかの例では、初期アクセス許可フラグをアクセス関連情報に直接提供することができる。これは、スタンドアロンアクセスが許可されるかどうかを各ＰＬＭＮに示すブール値である。構造は次のように与えられる。
【表９】
2021510993.tif 000012
【図１】
2021510993.tif 000013
【図２】
2021510993.tif 000014
【図３】
2021510993.tif 000015
【図４】
2021510993.tif 000016
【図５】
2021510993.tif 000017
【図６】
2021510993.tif 000018
【図７】
2021510993.tif 000019
【図８】
2021510993.tif 000020
【手続補正書】
【提出日】令和2年5月6日(2020.5.6)
【手続補正１】
【補正対象書類名】特許請求の範囲
【補正対象項目名】全文
【補正方法】変更
【補正の内容】
【特許請求の範囲】
【請求項１】
セルによってサポートされる複数の公衆陸上移動通信網の第一公衆陸上移動通信網と関連するユーザ機器（５１０）において前記セルを検出する（Ｓ７１０）ことと、
前記セルによってサポートされる前記複数の公衆陸上移動通信網のそれぞれについて前記ユーザ機器（５１０）において、前記セルが前記公衆陸上移動通信網の対応する１つについてのスタンドアロンアクセスに利用可能であるかどうかに関するインディケーションを受信する（Ｓ７２０）ことであって、前記インディケーションは前記対応する公衆陸上移動通信網についてのトラッキングエリアコードの有無を含む、前記受信することと、
前記ユーザ機器（５１０）において、また前記第一公衆陸上移動通信網についての前記インディケーションに基づいて、前記セルへのスタンドアロンアクセスを要求するかどうかを決定する（Ｓ７３０）ことと、
を備える、方法。
【請求項２】
前記セルは、前記複数の公衆陸上移動通信網のいくつかについてのスタンドアロンアクセスに利用可能であり、前記セルは、前記複数の公衆陸上移動通信網のいくつかについてのスタンドアロンアクセスに利用可能ではない、請求項１に記載の方法。
【請求項３】
前記セルが前記第一公衆陸上移動通信網についてのスタンドアロンアクセスに利用可能であることを前記インディケーションが示す場合に、前記セルについてのスタンドアロンアクセスを要求する（Ｓ７４０）ことを備える、いずれかの先行請求項に記載の方法。
【請求項４】
前記セルについてのスタンドアロンアクセスを要求する少なくとも前に、前記ユーザ機器は、ＩＤＬＥモードにある、請求項３に記載の方法。
【請求項５】
前記セルが前記第一公衆陸上移動通信網についてのスタンドアロンアクセスに利用可能ではないことを前記インディケーションが示す場合に、デュアルコネクティビティモードで動作するように構成されるときに前記セルにアクセスする（Ｓ７６０）ことを備える、いずれかの先行請求項に記載の方法。
【請求項６】
前記セルが前記複数の公衆陸上移動通信網についてのスタンドアロンアクセスに利用可能であるかどうかに関する前記インディケーションを含むシステム情報ブロックを、前記基地局から受信することを備える、いずれかの先行請求項に記載の方法。
【請求項７】
前記複数の公衆陸上移動通信網のうちの少なくとも１つについて、前記インディケーションは、トラッキングエリアコード情報のフィールドにバイナリインディケータを含む、いずれかの先行請求項に記載の方法。
【請求項８】
前記複数の公衆陸上移動通信網のうちの少なくとも１つについて、前記インディケーションは、セルアクセス関連情報にバイナリインディケータを含む、いずれかの先行請求項に記載の方法。
【請求項９】
セルによってサポートされる複数の公衆陸上移動通信網のそれぞれについて、前記セルが前記公衆陸上移動通信網の対応する１つについてのスタンドアロンアクセスに利用可能であるかどうかに関するインディケーションの、基地局（６２０）からデバイスへの送信を引き起こす（Ｓ８１０）ことであって、前記インディケーションは前記対応する公衆陸上移動通信網についてのトラッキングエリアコードの有無を含む、前記引き起こすこと、
を備える、方法。
【請求項１０】
前記セルが前記デバイスによってサポートされる第一公衆陸上移動通信網についてのスタンドアロンアクセスに利用可能であることを前記インディケーションが示す場合に、前記デバイスから前記セルへのスタンドアロンアクセスについての要求を受信する（Ｓ８３０）ことを備える、請求項９に記載の方法。
【請求項１１】
前記セルが前記デバイスによってサポートされる第一公衆陸上移動通信網についてのスタンドアロンアクセスに利用可能ではないことを前記インディケーションが示す場合に、前記デバイスから前記セルへの非スタンドアロンアクセスについての要求を受信することを備える、請求項９〜１０のいずれかに記載の方法。
【請求項１２】
前記セルが前記複数の公衆陸上移動通信網についてのスタンドアロンアクセスに利用可能であるかどうかに関する前記インディケーションを含むシステム情報ブロックの前記デバイスへの前記送信を引き起こすことを備える、請求項９〜１１のいずれかに記載の方法。
【請求項１３】
コンピュータプログラムがコンピューティングデバイス上で実行されるときに、方法を提供するような命令を含む前記コンピュータプログラムであって、前記コンピューティングデバイスは請求項１〜１２のいずれかに記載のステップを行うように配置される、前記コンピュータプログラム。
【請求項１４】
ユーザ機器（６１０）のための装置であって、
少なくとも１つのプロセッサ及びコンピュータプログラムコードを含む少なくとも１つのメモリ、
を備え、
前記少なくとも１つのメモリ及び前記コンピュータプログラムコードは、前記少なくとも１つのプロセッサで、前記装置に少なくとも、
セルによってサポートされる複数の公衆陸上移動通信網の第一公衆陸上移動通信網と関連するユーザ機器（５１０）において前記セルを検出する（Ｓ７１０）ことと、
前記セルによってサポートされる前記複数の公衆陸上移動通信網のそれぞれについて前記ユーザ機器（５１０）において、前記セルが前記公衆陸上移動通信網の対応する１つについてのスタンドアロンアクセスに利用可能であるかどうかに関するインディケーションを受信する（Ｓ７２０）ことであって、前記インディケーションは前記対応する公衆陸上移動通信網についてのトラッキングエリアコードの有無を含む、前記受信することと、
前記ユーザ機器（５１０）において、また前記第一公衆陸上移動通信網についての前記インディケーションに基づいて、前記セルへのスタンドアロンアクセスを要求するかどうかを決定する（Ｓ７３０）ことと、
を引き起こすように構成される、前記装置。
【請求項１５】
前記セルは、前記複数の公衆陸上移動通信網のいくつかについてのスタンドアロンアクセスに利用可能であり、前記セルは、前記複数の公衆陸上移動通信網のいくつかについてのスタンドアロンアクセスに利用可能ではない、請求項１４に記載の装置。
【請求項１６】
前記セルが前記第一公衆陸上移動通信網についてのスタンドアロンアクセスに利用可能であることを前記インディケーションが示す場合に、前記セルへのスタンドアロンアクセスを要求する（Ｓ７４０）ように構成される、請求項１４または請求項１５に記載の装置。
【請求項１７】
前記セルについてのスタンドアロンアクセスを要求する少なくとも前に、前記ユーザ機器は、ＩＤＬＥモードにある、請求項１４〜１６のいずれかに記載の装置。
【請求項１８】
前記セルが前記第一公衆陸上移動通信網についてのスタンドアロンアクセスに利用可能ではないことを前記インディケーションが示す場合に、デュアルコネクティビティモードで動作するように構成されるときに前記セルにアクセスする（Ｓ７６０）ように構成される、請求項１４〜１７のいずれかに記載の装置。
【請求項１９】
前記セルが前記複数の公衆陸上移動通信網についてのスタンドアロンアクセスに利用可能であるかどうかに関する前記インディケーションを含むシステム情報ブロックを、前記基地局から受信するように構成される、請求項１４〜１８のいずれかに記載の装置。
【請求項２０】
前記複数の公衆陸上移動通信網のうちの少なくとも１つについて、前記インディケーションは、トラッキングエリアコード情報のフィールドにバイナリインディケータを含む、請求項１４〜１９のいずれかに記載の装置。
【請求項２１】
前記複数の公衆陸上移動通信網のうちの少なくとも１つについて、前記インディケーションは、セルアクセス関連情報にバイナリインディケータを含む、請求項１４〜２０のいずれかに記載の装置。
【請求項２２】
装置であって、
少なくとも１つのプロセッサ及びコンピュータプログラムコードを含む少なくとも１つのメモリ、
を備え、
前記少なくとも１つのメモリ及び前記コンピュータプログラムコードは、前記少なくとも１つのプロセッサで、前記装置に少なくとも、
セルによってサポートされる複数の公衆陸上移動通信網のそれぞれについて、前記セルが前記公衆陸上移動通信網の対応する１つについてのスタンドアロンアクセスに利用可能であるかどうかに関するインディケーションの、基地局（６２０）からデバイスへの送信を引き起こす（Ｓ８１０）、
ように構成され、
前記インディケーションは、前記対応する公衆陸上移動通信網についてのトラッキングエリアコードの有無を含む、
前記装置。
【請求項２３】
前記セルが前記デバイスによってサポートされる第一公衆陸上移動通信網についてのスタンドアロンアクセスに利用可能であることを前記インディケーションが示す場合に、前記デバイスから前記セルへのスタンドアロンアクセスについての要求を受信する（Ｓ８３０）ように構成される、請求項２２に記載の装置。
【請求項２４】
前記セルが前記デバイスによってサポートされる第一公衆陸上移動通信網についてのスタンドアロンアクセスに利用可能ではないことを前記インディケーションが示す場合に、前記デバイスから前記セルへの非スタンドアロンアクセスについての要求を受信するように構成される、請求項２２または請求項２３のいずれかに記載の装置。
【請求項２５】
前記セルが前記複数の公衆陸上移動通信網についてのスタンドアロンアクセスに利用可能であるかどうかに関する前記インディケーションを含むシステム情報ブロックの前記デバイスへの前記送信を引き起こすように構成される、請求項２２〜２４のいずれかに記載の装置。
【手続補正２】
【補正対象書類名】明細書
【補正対象項目名】０００５
【補正方法】変更
【補正の内容】
【０００５】
通信システム及び関連したデバイスは、通常、システムに関連するさまざまなエンティティが何を行うことが許可されているか、またそれをどのように達成する必要があるかを規定する所与の規格または仕様に従って動作する。通常、接続に使用されなければならない通信プロトコル及び／またはパラメータも規定される。通信システムの一例は、ＵＴＲＡＮ（３Ｇ無線）である。通信システムの他の例は、ユニバーサル移動体通信システム（ＵＭＴＳ）無線アクセス技術のロングタームエボリューション（ＬＴＥ）と、いわゆる５Ｇまたは新しい無線（ＮＲ）ネットワークである。５Ｇまたは新しい無線ネットワークの規格化は現在議論中である。ＬＴＥは、第３世代パートナーシッププロジェクト（３ＧＰＰ）によって規格化されている。「Ｃｅｌｌ  ｓｅｌｅｃｔｉｏｎ  ｆｏｒ  ＮＲ  ｎｏｎ−ｓｔａｎｄａｌｏｎｅ  ａｎｄ  ＮＲ  ｓｔａｎｄａｌｏｎｅ  ＵＥ  ｏｐｅｒａｔｉｏｎ」（Ｒ２−１６８５６９）及び「Ｃｏｎｎｅｃｔｉｏｎ  ｅｓｔａｂｌｉｓｈｍｅｎｔ  ａｎｄ  ａｃｃｅｓｓ  ｃｏｎｔｒｏｌ  ｆｏｒ  ｓｔａｎｄａｌｏｎｅ  ＮＲ」（Ｒ２−１６７０２２）というドキュメントは、ＮＲの接続におけるネットワークアクセスについて論じている。
【国際調査報告】
2021510993.tif 000021
2021510993.tif 000022
2021510993.tif 000023
2021510993.tif 000024